(57)【特許請求の範囲】
【請求項１】
スイッチング素子と、
一次巻線と二次巻線を備え、前記スイッチング素子のスイッチング動作により前記一次巻線に供給された電力を前記二次巻線に伝達するトランスと、
前記二次巻線に伝達された電力を整流する第１及び第２の整流素子と、
前記第１及び第２の整流素子によって整流された電力を夫々平滑化する第１及び第２の平滑リアクトルと、
を有し、
前記第１及び第２の平滑リアクトルにより平滑化された電力を出力するように構成されたＤＣ／ＤＣコンバータであって、
前記第１及び第２の平滑リアクトルは、巻線部と前記巻線部の少なくとも一部分を包囲するコア部とを夫々備え、
前記第１及び第２の平滑リアクトルは、前記夫々の巻線部の軸心の延びる方向が同一となるように重ねて配置されている、
ことを特徴とするＤＣ／ＤＣコンバータ。
【請求項２】
前記第１及び第２の平滑リアクトルの前記巻線部の端子を夫々固定する端子台を備え、
前記第１及び第２の平滑リアクトルと前記端子台とは、一体に固定されている、
ことを特徴とする請求項１に記載のＤＣ／ＤＣコンバータ。
【請求項３】
前記第１及び第２の平滑リアクトルの前記巻線部は、夫々第１及び第２の端子を備え、
前記端子台は、前記重ねて配置された前記第１及び第２の平滑リアクトルに対して並置された端子接続部を備え、
前記第１及び第２の平滑リアクトルのうちの一方の平滑リアクトルの前記第１及び第２の端子は、前記端子接続部に於ける前記軸心の延びる方向に対する一方の端面に固定され、
他方の前記平滑リアクトルの前記第１の端子は、前記端子接続部に於ける前記一方の端面に対向する他方の端面に固定されると共に、第１のバスバーの一端に接続され、
前記他方の平滑リアクトルの前記第２の端子は、前記端子接続部に於ける前記他方の端面に固定されると共に、第２のバスバーの一端に接続され、
前記第１及び第２のバスバーの夫々の他端は、前記端子台の前記一方の端面に配置されている、
ことを特徴とする請求項２に記載のＤＣ／ＤＣコンバータ。
【請求項４】
前記一方の平滑リアクトルの前記第１の端子は、前記第１のバスバーの前記他端に接続されている、
ことを特徴とする請求項３に記載のＤＣ／ＤＣコンバータ。
【請求項５】
前記第１及び第２のバスバーは、前記端子台の外面部に配置されている、
ことを特徴とする請求項３又は４に記載のＤＣ／ＤＣコンバータ。
【請求項６】
前記第１及び第２のバスバーは、前記端子台の内部に内蔵されている、
ことを特徴とする請求項３又は４に記載のＤＣ／ＤＣコンバータ。
【請求項７】
前記端子台は、前記第１及び第２の平滑リアクトルの前記夫々のコア部の少なくとも一部分の側面に当接し得る壁面部を備えている、
ことを特徴とする請求項２乃至６のうちの何れか一項に記載のＤＣ／ＤＣコンバータ。
【請求項８】
前記端子台は、前記第１及び第２の平滑リアクトルの前記夫々のコア部の間に挿入される隔壁部を備えている、
ことを特徴とする請求項２乃至７のうちの何れか一項に記載のＤＣ／ＤＣコンバータ。 
【発明の詳細な説明】
【技術分野】
【０００１】
この発明は、トランスを有するＤＣ／ＤＣコンバータに関するものである。
【背景技術】
【０００２】
互いに分離した一次巻線と二次巻線を備えたトランスを有するＤＣ／ＤＣコンバータは、通常、絶縁型ＤＣ／ＤＣコンバータと称され、広く産業界で利用されている。このＤＣ／ＤＣコンバータは、主回路方式で言えば、一次側主回路はハーフブリッジ方式やフルブリッジ方式、二次側主回路はセンタータップ方式やカレントダブラ方式が一般に用いられている。
【０００３】
特許文献1には、一次側主回路がハーフブリッジ方式、二次側主回路がカレントダブラ方式のについて開示されており、一次側のスイッチング素子の駆動デューティに基づいて二次側のスイッチング素子の駆動タイミングを決定することで、不連続モードにおける動作を最適化し、応答性と変換効率を両立させる技術が提案されている。
【先行技術文献】
【特許文献】
【０００４】
【特許文献１】特開２００３−１１１４０１号公報
【発明の概要】
【発明が解決しようとする課題】
【０００５】
しかしながら、特許文献1に開示されているような、二次側主回路にカレントダブラ方式を採用しているには、下記のような課題が存在する。
（１）二次側主回路を構成する平滑リアクトルが２つとなり、コンパクトな装置を実現する際の妨げとなっている。
（２）平滑リアクトルが２つであるため、この２つの平滑リアクトルを固定する固定部材、平滑リアクトルに接続するバスバー、及び固定するためのねじが増え、組み立て時間が長くなる。
【０００６】
尚、一次側主回路をフルブリッジ方式、二次側主回路をカレントダブラ方式とする以外の方式、例えば、主回路全体を並列化した場合も、平滑リアクトルは２つとなり、上記と同様の課題が存在する。
【０００７】
この発明は、従来のＤＣ／ＤＣコンバータに於ける前述の様な課題を解決し、コンパクトなＤＣ／ＤＣコンバータを提供することを目的とする。
【課題を解決するための手段】
【０００８】
この発明によるＤＣ／ＤＣコンバータは、スイッチング素子と、一次巻線と二次巻線を備え、前記スイッチング素子のスイッチング動作により前記一次巻線に供給された電力を前記二次巻線に伝達するトランスと、前記二次巻線に伝達された電力を整流する第１及び第２の整流素子と、前記第１及び第２の整流素子によって整流された電力を夫々平滑化する第１及び第２の平滑リアクトルとを有し、前記第１及び第２の平滑リアクトルにより平滑化された電力を出力するように構成されたＤＣ／ＤＣコンバータであって、前記第１及び第２の平滑リアクトルは、巻線部と前記巻線部の少なくとも一部分を包囲するコア部とを夫々備え、前記第１及び第２の平滑リアクトルは、前記夫々の巻線部の軸心の延びる方向が同一となるように重ねて配置されていることを特徴とする。
【発明の効果】
【０００９】
この発明によるＤＣ／ＤＣコンバータによれば、平滑リアクトルは、巻線部と前記巻線部の少なくとも一部分を包囲するコア部とを夫々備えた第１及び第２の平滑リアクトルにより構成され、前記第１及び第２の平滑リアクトルは、前記夫々の巻線部の軸心の延びる方向が同一となるように重ねて配置されているので、平滑リアクトルの実装面積を削減し、コンパクトなＤＣ／ＤＣコンバータを得ることができる。
【図面の簡単な説明】
【００１０】
【図１】この発明の実施の形態例1によるＤＣ／ＤＣコンバータの主回路構成を示す回路図である。
【図２】この発明の実施の形態１によるＤＣ／ＤＣコンバータに於ける、平滑リアクトルを示す斜視図である。
【図３】この発明の実施の形態１によるＤＣ／ＤＣコンバータに於ける、２つの平滑リアクトルを一体に固定した平滑リアクトル構成体を示す斜視図である。
【図４】図３に示す平滑リアクトル構成体の底面図である。
【図５】図３に示す平滑リアクトル構成体を背面から視た斜視図である。
【図６】この発明の実施の形態２によるＤＣ／ＤＣコンバータに於ける、２つの平滑リアクトルを一体に固定した平滑リアクトル構成体を示す斜視図である。
【図７】図６に示す平滑リアクトル構成体の底面図である。
【発明を実施するための形態】
【００１１】
実施の形態１．
以下、この発明の実施の形態１によるトランスを備えたＤＣ／ＤＣコンバータ(以下、単に、ＤＣ／ＤＣコンバータと称する)を、図を参照して説明する。図１は、この発明の実施の形態例1によるＤＣ／ＤＣコンバータの主回路構成を示す回路図である。図１に於いて、ＤＣ／ＤＣコンバータ１００は、トランス４の一次巻線４１に接続された一次側主回路１０１と、トランス４の二次巻線４２に接続された二次側主回路１０２を備えている。トランス４の一次巻線４１と二次巻線４２は、コア４３を介して磁気的に結合している。
【００１２】
一次側主回路１０１は、第１のスイッチング素子１ａと、第２のスイッチング素子１ｂと、第３のスイッチング素子１ｃ、及び第４のスイッチング素子１ｄからなるブリッジ回路を備えている。これらの第１乃至第４のスイッチング素子１ａ、１ｂ、１ｃ、１ｄは、夫々パワーＭＯＳＦＥＴにより構成されている。トランス４の一次巻線４１は、共振リアクトル３を介してブリッジ回路の交流側端子に接続されている。
【００１３】
第１のコンデンサ２ａと、第２のコンデンサ２ｂと、第３のコンデンサ２ｃ、及び第４のコンデンサ２ｄは、夫々第１乃至第４のスイッチング素子１ａ、１ｂ、１ｃ、１ｄに並列接続されており、夫々対応する第１乃至第４のスイッチング素子１ａ、１ｂ、１ｃ、１ｄを保護すると共に、共振リアクトル３と協働してＤＣ／ＤＣコンバータ１００の一次側主回路１０１のソフトスイッチングを実現する。このように構成された一次側主回路１０１は、フルブリッジ方式と称される。ブリッジ回路の直流側端子は、ＤＣ／ＤＣコンバータ１００の入力側端子１０１ａ、１０１ｂとなる。
【００１４】
二次側主回路１０２は、第１の整流素子５ａと、第２の整流素子５ｂと、第１の整流素子５ａに直列接続された第１の平滑リアクトル６ａと、第２の整流素子５ｂに直列接続された第２の平滑リアクトル６ｂとからなる整流回路を備えている。第１及び第２の整流素子５ａ、５ｂは、夫々パワーＭＯＳＦＥＴにより構成されている。トランス４の二次巻線４２は、前述の整流回路の交流側端子（後述する端子Ｆａ、Ｆｂに対応する）に接続されている。
【００１５】
第１及び第２の平滑リアクトル６ａ、６ｂは、夫々の第１の端子Ｅａ、Ｅｂが共通接続され、二次側主回路１０２の一方の出力側端子１０２ａに接続されている。第１の平滑リアクトル６ａの第２の端子Ｆａは、第１の整流素子５ａのドレインに接続されている。第２の平滑リアクトル６ｂの第２の端子Ｆｂは、第２の整流素子６ｂのドレインに接続されている。トランス４の二次巻線４２は、第１の平滑リアクトル６ａの第２の端子Ｆａと第２の平滑リアクトル６ｂの第２の端子Ｆｂとの間に接続されている。このように構成されたニ次側主回路１０２は、カレントダブラ方式と称される。整流回路の直流側端子は、１００の出力側端子１０２ａ、１０２ｂとなる。
【００１６】
以上のように構成されたＤＣ／ＤＣコンバータ１００に於いて、入力側端子１０１ａ、１０１ｂ間に入力された直流電力は、一次側主回路１０１の第１乃至第４のスイッチング素子１ａ、１ｂ、１ｃ、１ｄを夫々所定のタイミングによりスイッチングして交流電力に変換され、トランス４の一次巻線４１に供給される。一次巻線４１に交流電力が供給されたトランス４は、一次巻線４１と二次巻線４２との巻数比に応じた電圧の交流電力を二次巻線４２に発生する。二次巻線４に発生された交流電力は、二次側主回路１０２の第１及び第２の整流素子５ａ、５ｂを夫々所定のタイミングでスイッチングすることにより所定の直流電力に変換され、出力側端子１０２ａ、１０２ｂ間から平滑化された直流電力として出力される。
【００１７】
尚、この発明の実施の形態１では、前述したように一次側主回路１０１をフルブリッジ方式、二次側主回路１０２をカレントダブラ方式としているが、これに限られるものではなく、例えば、主回路全体を並列化した方式とすることもできる。
【００１８】
又、前述の実施の形態１では、第１乃至第４のスイッチング素子１ａ、１ｂ、１ｃ、１ｄ、及び第１及び第２の整流素子５ａ、５ｂをパワーＭＯＳＦＥＴにより構成しているが、第１及び第２の整流素子５ａ、５ｂをダイオードとしてもよい。又、一次側主回路１０１をソフトスイッチングさせないのであれば、共振リアクトル３は不要となる。
【００１９】
図２は、この発明の実施の形態１によるＤＣ／ＤＣコンバータに於ける、平滑リアクトルの構造を示す斜視図であって、図１に示す前述の第１の平滑リアクトル６ａの構造を示している。尚、第２の平滑リアクトル６ｂもこれと同様の構成である。図２に於いて、コア構成体１３ａは、所謂、ＥＩＲコアであり、Ｉ型の第１のコア１１ａが、Ｅ型の第２のコア１２ａの開放側端部に当接されている。
【００２０】
巻線部１４ａは、平角導体をエッジワイズ方向に巻回して構成され、前述の第２のコア１２ａの中央脚部（図示せず）に挿入されている。巻線部１４ａの第１の端子Ｅａは、前述の第２の平滑リアクトル６ｂの巻線部の第１の端子Ｅｂ（後述する）に共通接続される。巻線部１４ａの第２の端子Ｆａは、前述の第１の整流素子５ａのドレインとトランス４の二次コイル４２の一端に接続される。
【００２１】
絶縁物により構成されたボビン１５ａは、巻線部１４ａとコア構成体１３ａとの間に挿入され、巻線部１４ａとコア構成体１３ａとの間の絶縁を行なうと共に、コア構成体１３ａに対する巻線部１４ａの位置規制を行なう。
【００２２】
尚、前述の巻線部１４ａは、平角導体をエッジワイズ方向に巻回した場合について述べたが、これに限られるものではなく、例えば、２ターン程度であればプレス加工、或いは曲げ加工等により製作してもよい。又、前述のコア構成体１３ａは、ＥＩＲコアとし構成された場合について述べたが、これに限られるものではなく、ＥＥコア、ＰＱコア等、他のコア形状であってもよい。
【００２３】
図３は、この発明の実施の形態１によるＤＣ／ＤＣコンバータに於ける、２つの平滑リアクトルを一体に固定した平滑リアクトル構成体を示す斜視図、図４は、図３に示す平滑リアクトル構成体の底面図、図５は、図３に示す平滑リアクトル構成体を背面から視た斜視図である。図３乃至図５に示す平滑リアクトル構成体１６は、図１に於ける第１及び第２の平滑リアクトル６ａ、６ｂを一体に構成したものであり、前述の図２に示す第１の平滑リアクトル６ａと、これと同一構成の第２の平滑リアクトル６ｂとを後述するように一体に固定したものである。
【００２４】
図３乃至５図に示す平滑リアクトル構成体１６に於いて、第１の平滑リアクトル６ａと第２の平滑リアクトル６ｂは、後述する端子台１８の隔壁部１８３を介して、夫々の巻線部１４ａ、１４ｂの軸心の延びる方向が同一となるように、夫々の巻線部１４ａ、１４ｂが積み重ねられている。この実施の形態１では、夫々の巻線部１４ａ、１４ｂの軸心が一致するように夫々の巻線部１４ａ、１４ｂが重ねられているが、必ずしも夫々の巻線部１４ａ、１４ｂの軸心が一致していなくてもよく、夫々の巻線部１４ａ、１４ｂの軸心の延びる方向が同一であればよい。そして、第１の平滑リアクトル６ａの第２のコア１２ａと、第２の平滑リアクトル６ｂの第２のコア１２ｂは、後述する端子台１８の隔壁部１８３を介して対向するように配置されている。
【００２５】
帯状の固定部材１７は、第１の平滑リアクトル６ａの第１のコア１１ａの平面部１１１ａと、第１の平滑リアクトル６ａの第１のコア１１ａの両側面部と、第２の平滑リアクトル６ｂの第２のコア１２ｂの両側面部と、第２の平滑リアクトル６ｂの第１のコア１１ｂの両側面部に沿って配置されている。固定部材１７の両端部に設けられた一対の固定部１７１、１７２は、筺体（図示せず）にネジ（図示せず）により固定される。固定部材１７の一対の固定部１７１、１７２が筺体にネジにより固定されることにより、第１の平滑リアクトル６ａと第２の平滑リアクトル６ｂは、一体に固定される。
【００２６】
樹脂を成型して構成された端子台１８は、第１及び第２の平滑リアクトル６ａ、６ｂの前面部に配置される端子接続部１８１と、第１及び第２の平滑リアクトル６ａ、６ｂの背面部に配置される壁面部１８２と、第１及び第２の平滑リアクトル６ａ、６ｂの各第２のコア１２ａ、１２ｂの対向間隙内に挿入される隔壁部１８３とを備える。端子接続部１８１と壁面部１８２と隔壁部１８３は、一体に連結されている。端子接続部１８１には、第１乃至第３の端子金具（図示せず）が相互に間隔を介して埋め込まれ、夫々の両端部が端子接続部１８１の図３に於ける上面部及び下面部に露出している。
【００２７】
端子台１８の壁面部１８２は、第１及び第２の平滑リアクトル６ａ、６ｂの第２のコア１２ａ、１２ｂの背面に当接することで、第１及び第２の平滑リアクトル６ａ、６ｂの前後方向の位置を規制してその位置ずれを抑制することができる。
【００２８】
尚、この発明の実施の形態１では、端子台１８の壁面部１８２は、第１及び第２の平滑リアクトル６ａ、６ｂの背面側にのみ設けられているが、更に第１及び第２の平滑リアクトル６ａ、６ｂの側面側にも別の壁面部を設けても良い。この場合、その壁面部は、第１及び第２の平滑リアクトル６ａ、６ｂの各第２のコア１２ａ、１２ｂの側面に当接することで、第１及び第２の平滑リアクトル６ａ、６ｂの左右方向の位置を規制してその位置ずれを抑制することができる。
【００２９】
端子台１８の隔壁部１８３は、第１の平滑リアクトル６ａの第２のコア１２ａと、第２の平滑リアクトル６ｂの第２のコア１２ｂとの間に挿入されることにより、第１及び第２の平滑リアクトル６ａ、６ｂの積み重ね方向、つまり縦方向の位置を規制している。
【００３０】
第１のバスバー１９の一端１９１は、図４に示すように、第２の平滑リアクトル１６ｂの第１の端子Ｅｂと共に前述の端子接続部１８１に埋め込まれた第１の端子金具（図示せず）に重ねて配置され、ネジ（図示せず）により相互に一体に固定されると共に電気的に接続される。図３に示すように、第１のバスバー１９の他端１９２は、第１の平滑リアクトル６ａの第１の端子Ｅａと共に端子接続部１８１に埋め込まれた前述の第１の端子金具に重ねて配置される。
【００３１】
第２のバスバー２０の一端２０１は、図４に示すように、第２の平滑リアクトル６ｂの第２の端子Ｆｂと共に端子接続部１８１に埋め込まれた第３の端子金具（図示せず）に重ねて配置され、ネジ（図示せず）により相互に一体に固定されると共に電気的に接続される。図３に示すように、第２のバスバー２０の他端２０２は、端子接続部１８１の上面部に位置し、端子接続部１８１に埋め込まれた第２の端子金具（図示せず）に重ねて配置される。
【００３２】
以上のように構成された平滑リアクトル構成体１６は、図１に示す第１及び第２の平滑リアクトル６ａ、６ｂとして、ＤＣ／ＤＣコンバータ１００の主回路に接続される。即ち、図３乃至図５に示すように構成された平滑リアクトル構成体１６の第１のバスバー１９の他端１９２は、図１に示す出力側端子１０２ａに接続されたバスバー２１に重ね合わされて、ネジ（図示せず）により一体に接続される。より詳しく述べれば、出力側端子１０２ａに接続されたバスバー２１は、平滑リアクトル構成体１６の第１のバスバー１９の他端１９２の上面に重ねられ、第１のバスバー１９の他端１９２と、前述の第１の平滑リアクトル６ａの第１の端子Ｅａと、端子台１８１に設けられた第１の端子金具（図示せず）と共に、ネジにより一体に機械的に固定されると共に電気的に接続される。その結果、図１に示すように、第１の平滑リアクトル６ａの第１の端子Ｅａと第２の平滑リアクトル６ｂの第１の端子Ｅｂとが共通接続されて、バスバー２１を介して出力側端子１０２ａに接続されることになる。
【００３３】
平滑リアクトル構成体１６に於ける第１の平滑リアクトル６ａの第２の端子Ｆａは、図１に示す第１の整流素子５ａのドレインに接続されたバスバー２２にネジ（図示せず）により一体に機械的に固定されると共に電気的に接続される。平滑リアクトル構成体１６の第２のバスバー２０の他端２０２は、図１の第２の整流素子５ｂのドレインに接続されたバスバー２３にネジ（図示せず）により一体に機械的に固定されると共に電気的に接続される。
【００３４】
以上述べたように、この発明の実施の形態１によるＤＣ／ＤＣコンバータは、２つの平滑リアクトルを、それらの巻線部の軸心の方向が同一方向となるように重ねて配置しているので、平滑リアクトルの実装面積を削減し、コンパクトなＤＣ／ＤＣコンバータを得ることができる。又、２つの平滑リアクトルを備えているにもかかわらず、端子台を1つとすることができ、部品点数の増加を抑制することができる。
【００３５】
更に、端子台に２つの平滑リアクトルのコアに当接し得る壁面部を設けているので、２つの平滑リアクトルの位置ずれを防止することができる。
【００３６】
又、図３に於ける下側に位置する第２の平滑リアクトル６ｂの第１及び第２の端子Ｅｂ、Ｆｂに接続された第１及び第２のバスバー１９、２０を、端子台１８に於ける端子接続部１８１の上面部まで導出するようにしているので、第２の平滑リアクトル６ｂの第１及び第２の端子Ｅｂ、Ｆｂを、第１の平滑リアクトル６ａの第１及び第２の端子Ｅａ、Ｆｂと共に、同一方向から主回路に接続することが可能となる。
【００３７】
実施の形態２．
前述の実施の形態1では、図３に於ける下側に位置する第２の平滑リアクトル６ｂの第１及び第２の端子Ｅｂ、Ｆｂを、端子台１８に於ける端子接続部１８１の上面に電気的に導出するために第１及び第２のバスバー１９、２０を用いたが、これらの第１及び第２のバスバー１９、２０に代えて、端子台１８の端子接続部１８１の内部に内蔵した内蔵バスバーを用いるようにしてもよい。この発明の実施の形態２によるＤＣ／ＤＣコンバータは、そのような内蔵バスバーを備えた平滑リアクトル構成体を用いたものである。
【００３８】
図６は、この発明の実施の形態２によるＤＣ／ＤＣコンバータに於ける、２つの平滑リアクトルを一体に固定した平滑リアクトル構成体を示す斜視図、図７は図６に示す平滑リアクトル構成体の底面図である。図６及び図７に示す平滑リアクトル構成体１６は、基本的には図３乃至図５に示す実施の形態１に於ける平滑リアクトル構成体１６同じであるが、実施の形態１に於ける第１及び第２のバスバー２２、２３に代えて端子台１８の端子接続部１８１に内蔵された第１の内蔵バスバー２６と第２の内蔵バスバー２７を設けたものである。
【００３９】
図６及び図７に於いて、第１の内蔵バスバー２６は、樹脂を成型して構成された端子台１８の端子接続部１８１の内部に埋設され、その一端２６１が第２の平滑リアクトル６ｂの第１の端子Ｅｂに接続され、他端２６２が第１の平滑リアクトル６ａの第１の端子Ｅａに接続されている。第２の内蔵バスバー２７は、一端２７１が第２の平滑リアクトル６ｂの第２の端子Ｆｂに接続され、他端２７２が端子台１８の端子接続部１８１の上面に露出している。
【００４０】
この実施の形態２では、第１及び第２の内蔵バスバー２６、２７は、端子台１８を構成する樹脂の内部にインサート成型されている。尚、端子台１８は、このようなインサート成型による製造以外の方法で製造されてもよい。例えば、端子台１８に２つの貫通孔を設け、夫々の貫通孔内に第１及び第２の内蔵バスバー２６、２７を挿入するようにしてもよい。
【００４１】
以上のように構成された平滑リアクトル構成体２４は、図１に示す第１及び第２の平滑リアクトル６ａ、６ｂとして、１００の主回路に接続される。即ち、図６及び図７に示すように構成された平滑リアクトル構成体１６に於ける、第１の平滑リアクトル６ａの第１の端子Ｅａと、図１に示す出力側端子１０２ａに接続されたバスバー２１とが重ね合わされて、ネジ（図示せず）により機械的及び電気的に接続される。これにより、第２の平滑リアクトル６ｂの第１の端子Ｅｂは、第１の内蔵バス２６を介して第１の平滑リアクトル６ａの第１の端子Ｅａと共に、出力側端子１０２ａに接続されたバスバー２１に電気的に接続される。その結果、図１に示すように、第１の平滑リアクトル６ａの第１の端子Ｅａと第２の平滑リアクトル６ｂの第１の端子Ｅｂとが共通接続されて、バスバー２１を介して出力側端子１０２ａに接続されることになる。
【００４２】
平滑リアクトル構成体１６に於ける第１の平滑リアクトル６ａの第２の端子Ｆａは、図１に示す第１の整流素子５ａのドレインに接続されたバスバー２２にネジ（図示せず）により一体に機械的に固定されると共に電気的に接続される。平滑リアクトル構成体１６の第２の内蔵バスバー２７の他端２７２は、図１の第２の整流素子５ｂのドレインに接続されたバスバー２３にネジ（図示せず）により一体に機械的に固定されると共に電気的に接続される。これにより、第２の平滑リアクトル６ｂの第２の端子Ｆｂは、第２の内蔵バスバー２７及びバスバー２３を介して第２の整流素子５ｂのドレインに接続されることになる。その他の構成は、実施の形態１の場合と同様である。
【００４３】
以上述べたように、この発明の実施の形態２によるＤＣ／ＤＣコンバータは、２つの平滑リアクトルを、実施の形態１の場合と同様に、それらの巻線部の軸心の方向が同一方向となるように重ねて配置しているので、平滑リアクトルの実装面積を削減し、コンパクトなＤＣ／ＤＣコンバータを得ることができる。又、２つの平滑リアクトルを備えているにもかかわらず、端子台を1つとすることができ、部品点数の増加を抑制することができる。
【００４４】
更に、端子台に２つの平滑リアクトルのコアに当接し得る壁面部を設けているので、２つの平滑リアクトルの位置ずれを防止することができる。
【００４５】
又、図６に於ける下側に位置する第２の平滑リアクトル６ｂの第１及び第２の端子Ｅｂ、Ｆｂに接続された第１及び第２の内蔵バスバー２６、２７を、端子台１８に於ける端子接続部１８１の上面部まで導出するようにしているので、第２の平滑リアクトル６ｂの第１及び第２の端子Ｅｂ、Ｆｂを、第１の平滑リアクトル６ａの第１及び第２の端子Ｅａ、Ｆｂと同一方向から主回路に接続することが可能となる。
【００４６】
更に、下側に位置する第２の平滑リアクトル６ｂの第１及び第２の端子に接続されるブスバーを、端子台に内蔵した第１及び第２の内蔵バスバーにより構成したので、端子台の外面部が簡単な構成となり、且つ、組み立て時間も短縮することができる。
【００４７】
前述の実施の形態１及び実施の形態２により説明したこの発明によるＤＣ／ＤＣコンバータは、以下の特徴を有する。
【００４８】
（１）スイッチング素子と、一次巻線と二次巻線を備え、前記スイッチング素子のスイッチング動作により前記一次巻線に供給された電力を前記二次巻線に伝達するトランスと、前記二次巻線に伝達された電力を整流する整流素子と、前記整流素子によって整流された電力を平滑化する平滑リアクトルとを有するＤＣ／ＤＣコンバータであって、前記平滑リアクトルは、巻線部と前記巻線部の少なくとも一部分を包囲するコア部とを夫々備えた第１及び第２の平滑リアクトルにより構成され、前記第１及び第２の平滑リアクトルは、前記夫々の巻線部の軸心の延びる方向が同一となるように重ねて配置されていることを特徴とする。
このように構成されたＤＣ／ＤＣコンバータによれば、平滑リアクトルの実装面積を削減し、コンパクトなＤＣ／ＤＣコンバータを得ることができる。
【００４９】
（２）前記(１)に記載のＤＣ／ＤＣコンバータに於いて、前記第１及び第２の平滑リアクトルの前記巻線部の端子を夫々固定する端子台を備え、前記第１及び第２の平滑リアクトルと前記端子台とは、一体に固定されていることを特徴とする。
このように構成されたＤＣ／ＤＣコンバータによれば、平滑リアクトルが2つ存在するにもかかわらず，必要な端子台を1つとすることができ、部品点数の増加を抑制することができる。
【００５０】
（３）前記（２）に記載のＤＣ／ＤＣコンバータに於いて、前記第１及び第２の平滑リアクトルの前記巻線部は、夫々第１及び第２の端子を備え、前記端子台は、前記重ねて配置された前記第１及び第２の平滑リアクトルに対して並置された端子接続部を備え、前記第１及び第２の平滑リアクトルのうちの一方の平滑リアクトルの前記第１及び第２の端子は、前記端子接続部に於ける前記軸心の延びる方向に対する一方の端面に固定され、他方の前記平滑リアクトルの前記第１の端子は、前記端子接続部に於ける前記一方の端面に対向する他方の端面に固定されると共に、第１のバスバーの一端に接続され、前記他方の平滑リアクトルの前記第２の端子は、前記端子接続部に於ける前記他方の端面に固定されると共に、第２のバスバーの一端に接続され、前記第１及び第２のバスバーの夫々の他端は、前記端子台の前記一方の端面に配置されていることを特徴とする。
このように構成されたＤＣ／ＤＣコンバータによれば、第１及び第２の平滑リアクトルを端子台に於ける端子接続部の同一端面側から、ＤＣ／ＤＣコンバータの主回路に接続することができる。
【００５１】
（４）前記（３）に記載のＤＣ／ＤＣコンバータに於いて、前記一方の平滑リアクトルの前記第１の端子は、前記第１のバスバーの前記他端に接続されていることを特徴とする。
【００５２】
（５）前記（３）又は（４）に記載のＤＣ／ＤＣコンバータに於いて、前記第１及び第２のバスバーは、前記端子台の外面部に配置されていることを特徴とする。
このように構成されたＤＣ／ＤＣコンバータによれば、ブスバーを容易に端子台に装着することができる。
【００５３】
（６）前記（３）又は（４）に記載のＤＣ／ＤＣコンバータに於いて、前記第１及び第２のバスバーは、前記端子台の内部に内蔵されていることを特徴とする。
このように構成されたＤＣ／ＤＣコンバータによれば、予めバスバーを端子台に内蔵させておくことができ、ＤＣ／ＤＣコンバータの政策が容易となる。
【００５４】
（７）前記（１）乃至（６）のうちの何れかに記載のＤＣ／ＤＣコンバータに於いて、前記端子台は、前記第１及び第２の平滑リアクトルの前記夫々のコア部の少なくとも一部分の側面に当接し得る壁面部を備えていることを特徴とする。
このように構成されたＤＣ／ＤＣコンバータによれば、端子台の壁面部が前記第１及び第２の平滑リアクトルの前記夫々のコア部の少なくとも一部分の側面に当接することにより、第１及び第２の平滑リアクトルの巻線部の軸心の延びる方向と直交する方向の位置ずれを防止することができる。
【００５５】
（８）前記（１）乃至（７）のうちの何れかに記載のＤＣ／ＤＣコンバータに於いて、前記端子台は、前記第１及び第２の平滑リアクトルの前記夫々のコア部の間に挿入される隔壁部を備えていることを特徴とする。
このように構成されたＤＣ／ＤＣコンバータによれば、端子台の隔壁部が前記第１及び第２の平滑リアクトルの前記夫々のコア部の間に挿入されるので、第１及び第２の平滑リアクトル巻線部の軸心の延びる方向の位置ずれを防止することができる。
【００５６】
尚、この発明は、その発明の範囲内に於いて、各実施の形態を自由に組み合わせたり、各実施の形態を適宜、変形、省略することが可能である。
【符号の説明】
【００５７】
１００  ＤＣ／ＤＣコンバータ、１０１  一次側主回路１０１、１０２  二次側主回路、４  トランス、４１  トランスの一次巻線、４２  トランスの二次巻線、４３  トランスのコア、１ａ  第１のスイッチング素子１ａ、１ｂ  第２のスイッチング素子、１ｃ  第３のスイッチング素子、１ｄ  第４のスイッチング素子、３  共振リアクトル、２ａ  第１のコンデンサ、２ｂ  第２のコンデンサ、２ｃ  第３のコンデンサ、２ｄ  第４のコンデンサ、１０１ａ、１０１ｂ  入力側端子、  １０２ａ、１０２ｂ  出力側端子、５ａ  第１の整流素子、５ｂ  第２の整流素子、６ａ  第１の平滑リアクトル、６ｂ  第２の平滑リアクトル、Ｅａ、Ｅｂ  第１の端子、Ｆａ、Ｆｂ  第２の端子、１４ａ、１４ｂ  巻線部、１３ａ、１６  コア構成体、１５ａ  ボビン、１８  端子台、１８１  端子接続部、１８２  壁面部、  １８３  隔壁部、１７  固定部材、１７１、１７２  固定部材の一対の固定部、１９  第１のバスバー、１９１、１９２  第１のバスバーの一端及び他端、２０  第２のバスバー、２０１、２０２  第２のバスバーの一端及び他端、２６  第１の内蔵バスバー、２６１、２６２  第１の内蔵バスバーの一端及び他端、２７  第２の内蔵バスバー、２７１、２７２  第１の内蔵バスバーの一端及び他端。
【図１】
0005528513.tif 000002
【図２】
0005528513.tif 000003
【図３】
0005528513.tif 000004
【図４】
0005528513.tif 000005
【図５】
0005528513.tif 000006
【図６】
0005528513.tif 000007
【図７】
0005528513.tif 000008